【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
被検眼を検査する検査手段と、
前記検査手段を駆動する駆動手段と、
操作部材の傾倒角度に応じて前記検査手段の微動と粗動とを切り替え、前記微動から前記粗動に切り換わる時の前記操作部材の傾倒角度と前記粗動から前記微動に切り換わる時の前記操作部材の傾倒角度とが異なるように、前記駆動手段を制御する制御手段と、
を有することを特徴とする眼科装置。
【請求項２】
前記微動から前記粗動に切り換わる時の前記操作部材の傾倒角度の大きさは、前記粗動から前記微動に切り換わる時の前記操作部材の傾倒角度の大きさよりも大きいことを特徴とする請求項１に記載の眼科装置。
【請求項３】
前記制御手段は、前記微動が終了する時の前記操作部材の傾倒角度と前記粗動が開始する時の前記操作部材の傾倒角度とが異なるように、前記駆動手段を制御することを特徴とする請求項１または２に記載の眼科装置。
【請求項４】
前記微動が終了する時の前記操作部材の傾倒角度の大きさは、前記粗動が開始する時の前記操作部材の傾倒角度の大きさよりも小さいことを特徴とする請求項３に記載の眼科装置。
【請求項５】
前記制御手段は、前記粗動が終了する時の前記操作部材の傾倒角度の大きさが、前記微動が開始する時の前記操作部材の傾倒角度の大きさよりも大きいように、前記駆動手段を制御することを特徴とする請求項４に記載の眼科装置。
【請求項６】
前記制御手段は、
前記操作部材の傾倒角度が所定の傾倒角度以下である場合には前記微動を行うように、前記駆動手段を制御し、
前記操作部材の傾倒角度が所定の傾倒角度を超える場合には前記粗動を行うように、前記駆動手段を制御することを特徴とする請求項１乃至５の何れか１項に記載の眼科装置。
【請求項７】
前記制御手段は、
前記微動の場合には前記操作部材の傾倒に応じた位置に前記検査手段を駆動するように、前記駆動手段を制御し、
前記粗動の場合には前記操作部材の傾倒に応じた速度で前記検査手段を駆動するように、前記駆動手段を制御することを特徴とする請求項１乃至６の何れか１項に記載の眼科装置。
【請求項８】
前記操作部材の傾倒角度が所定の傾倒角度以下である場合には前記操作部材の傾倒を保持する所定の摩擦力を生成し、前記操作部材の傾倒角度が所定の傾倒角度を超える場合には前記操作部材の傾倒を所定の傾倒角度へ復帰させる復帰力を生成する生成手段を更に有することを特徴とする請求項１乃至７の何れか１項に記載の眼科装置。
【請求項９】
被検眼を検査する検査手段と、
凹部と、前記凹部の一部に設けられた凸部とを有する第１の部材と、
前記検査手段を操作するための操作部材と一体に設けられ、前記第１の部材と接しながら前記操作部材の傾倒に対応して移動可能な第２の部材と、
前記操作部材の傾倒角度が所定の傾倒角度以下である場合には前記操作部材の傾倒を保持する所定の摩擦力を生成し、前記操作部材の傾倒角度が所定の傾倒角度を超える場合には前記操作部材の傾倒を所定の傾倒角度へ復帰させる復帰力を生成する生成手段と、
を有することを特徴とする眼科装置。
【請求項１０】
前記第２の部材を付勢する付勢手段を更に有し、
前記生成手段は、前記付勢手段が圧縮されるように設けられた復帰部材を有し、前記復帰部材により圧縮された前記付勢手段により生成される付勢力に応じて前記復帰力を生成することを特徴とする請求項９に記載の眼科装置。
【請求項１１】
凹部と、前記凹部の一部に設けられた凸部とを有する第１の部材と、
前記検査手段を操作するための操作部材と一体に設けられ、前記第１の部材と接しながら前記操作部材の傾倒に対応して移動可能な第２の部材と、を更に有し、
前記第２の部材が前記凸部に接している場合には、前記操作部材の傾倒中心と前記第２の部材との距離が前記第２の部材が前記凸部に接する前よりも短くなるように構成されることを特徴とする請求項１乃至１０の何れか１項に記載の眼科装置。
【請求項１２】
被検眼を検査する検査手段と、
凹部と、前記凹部の一部に設けられた凸部とを有する第１の部材と、
前記検査手段を操作するための操作部材と一体に設けられ、前記第１の部材と接しながら前記操作部材の傾倒に対応して移動可能な第２の部材と、を有し、
前記第２の部材が前記凸部に接している場合には、前記操作部材の傾倒中心と前記第２の部材との距離が前記第２の部材が前記凸部に接する前よりも短くなるように構成されることを特徴とする眼科装置。
【請求項１３】
前記操作部材における前記傾倒中心と前記第２の部材との間に設けられた弾性部材を更に有し、
前記距離が短い場合、前記弾性部材が元の距離に戻ろうとするように作用することを特徴とする請求項９乃至１２の何れか１項に記載の眼科装置。
【請求項１４】
前記第２の部材が前記凸部に接する前には、前記弾性部材が前記第１の部材に対する前記第２の部材の位置を保持するように作用することを特徴とする請求項１３に記載の眼科装置。
【請求項１５】
前記操作部材の傾倒中心に設けられた中心部材をさらに有し、
前記第１の部材において、前記凹部は前記中心部材を曲率中心とする略球面であり、且つ前記凸部は前記凹部の略中央に設けられることを特徴とする請求項９乃至１４の何れか１項に記載の眼科装置。
【請求項１６】
前記中心部材が球形状であり、
前記第２の部材は、略中央に凹部を含む円板形状であることを特徴とする請求項１５に記載の眼科装置。
【請求項１７】
前記操作部材の傾倒運動を直線運動に変換する運動方向変換手段と、
前記直線運動に応じた直動型ポテンショメータの抵抗値に基づいて前記操作部材の非傾倒位置からの傾倒角度を検出する検出手段と、
を更に有することを特徴とする請求項１乃至１６の何れか１項に記載の眼科装置。
【請求項１８】
被検眼を検査する検査手段と、前記検査手段を駆動する駆動手段と、操作部材の傾倒角度に応じて前記検査手段の微動と粗動とを切り替える制御手段とを有する眼科装置の制御方法であって、
前記制御手段は、前記微動から前記粗動に切り換わる時の前記操作部材の傾倒角度と前記粗動から前記微動に切り換わる時の前記操作部材の傾倒角度とが異なるように、前記駆動手段を制御する工程を有することを特徴とする眼科装置の制御方法。
【請求項１９】
前記微動から前記粗動に切り換わる時の前記操作部材の傾倒角度の大きさは、前記粗動から前記微動に切り換わる時の前記操作部材の傾倒角度の大きさよりも大きいことを特徴とする請求項１８に記載の眼科装置の制御方法。
【請求項２０】
前記制御手段は、前記微動が終了する時の前記操作部材の傾倒角度と前記粗動が開始する時の前記操作部材の傾倒角度とが異なるように、前記駆動手段を制御する工程を更に有することを特徴とする請求項１８または１９に記載の眼科装置の制御方法。
【請求項２１】
請求項１８乃至２０の何れか１項に記載の眼科装置の制御方法をコンピュータに実行させるためのプログラム。
【手続補正２】
【補正対象書類名】明細書
【補正対象項目名】００１３
【補正方法】変更
【補正の内容】
【００１３】
上記の目的を達成する本発明に係る眼科装置は、
被検眼を検査する検査手段と、
前記検査手段を駆動する駆動手段と、
操作部材の傾倒角度に応じて前記検査手段の微動と粗動とを切り替え、前記微動から前記粗動に切り換わる時の前記操作部材の傾倒角度と前記粗動から前記微動に切り換わる時の前記操作部材の傾倒角度とが異なるように、前記駆動手段を制御する制御手段と、
を有することを特徴とする。
【手続補正３】
【補正対象書類名】明細書
【補正対象項目名】発明の名称
【補正方法】変更
【補正の内容】
【発明の名称】眼科装置、眼科装置の制御方法およびプログラム